(57)【要約】【課題】容易かつ低コストで累積点灯時間と照度補正量との関係を調整する。【解決手段】照明装置１０において、照度補正値選択部１４は、第一の調光率Ｄｉｍ１、第一の時間Ｔｉｍｅ１、第二の時間Ｔｉｍｅ２の値を示す照度補正値選択信号Ｓ１を出力する。照度補正値算出部１５は、照度補正値選択信号Ｓ１に基づき、第一の区間と第二の区間とにおける単位時間あたりの光源１２の調光率の変化量を示す照度補正値算出信号Ｓ２を出力する。第一の区間は、調光率が第一の調光率Ｄｉｍ１に達するまでの区間であり、第一の時間Ｔｉｍｅ１に終了する。第二の区間は、調光率が第一の調光率Ｄｉｍ１から上限調光率に達するまでの区間であり、第二の時間Ｔｉｍｅ２に終了する。照度補正制御部１６は、照度補正値算出信号Ｓ２に基づき、光源１２の累積点灯時間に対応する光源１２の調光率で光源１２を点灯させるように点灯回路１１を制御する。【選択図】図１
2013196875.tif 000002
【特許請求の範囲】
【請求項１】
光源の累積点灯時間の長さに応じて前記光源の調光率を変化させることにより前記光源の照度補正を行う照明装置において、
前記光源を点灯させる点灯回路と、
前記光源の累積点灯時間を計測する累積点灯時間計測部と、
第一の時間と第一の調光率とを指定する信号を入力し、前記光源の累積点灯時間が当該信号により指定された第一の時間になるときに前記光源の調光率が当該信号により指定された第一の調光率に達するように前記光源の累積点灯時間と前記光源の調光率との関係を設定する設定部と、
前記累積点灯時間計測部で計測された累積点灯時間に対し、前記設定部で設定された関係を満たす前記光源の調光率を求め、求めた調光率で前記光源を点灯させるように前記点灯回路を制御する照度補正制御部と
を備えることを特徴とする照明装置。
【請求項２】
前記設定部は、前記信号として、前記第一の時間と前記第一の調光率とのほかに前記第一の時間より長い第二の時間を指定する信号を入力し、前記光源の累積点灯時間が当該信号により指定された第二の時間になるときに前記光源の調光率が上限調光率に達するように前記光源の累積点灯時間と前記光源の調光率との関係を設定することを特徴とする請求項１の照明装置。
【請求項３】
前記設定部は、
前記光源の累積点灯時間と前記光源の調光率との関係を示す照度補正値として、前記光源の累積点灯時間が前記第一の時間になるまでの区間と前記光源の累積点灯時間が前記第一の時間から前記第二の時間になるまでの区間とのそれぞれにおける単位時間あたりの前記光源の調光率の変化量を算出する照度補正値算出部を有することを特徴とする請求項２の照明装置。
【請求項４】
前記設定部は、
前記光源の累積点灯時間が前記第一の時間になるまでの区間における前記光源の調光率の変化率が、前記光源の累積点灯時間が前記第一の時間から前記第二の時間になるまでの区間における前記光源の調光率の変化率よりも大きくなるように前記第一の時間と前記第一の調光率と前記第二の時間とを選択する照度補正値選択部を有することを特徴とする請求項２又は３の照明装置。
【請求項５】
前記光源を着脱自在に備えるとともに、各部を収納する筐体を備えることを特徴とする請求項１から４のいずれかの照明装置。
【発明の詳細な説明】
【技術分野】
【０００１】
本発明は、照明装置に関するものである。
【背景技術】
【０００２】
一般に照明に用いられる放電ランプ、白熱電球、ＬＥＤ素子等の光源の光束は、点灯時間の経過に伴い低下することが知られている。このような点灯時間による光束の低下を補い、略一定の出力を保つ技術として、累積点灯時間に応じ出力を調整する技術（照度補正）が知られている（例えば、特許文献１参照）。また、照度補正用データを予め複数記憶し、光源の違いや状況に応じ照度補正用データを選択する技術も知られている（例えば、特許文献２参照）。
【先行技術文献】
【特許文献】
【０００３】
【特許文献１】特開２００１−１５２７６号公報
【特許文献２】特開２０００−３４８８７６号公報
【発明の概要】
【発明が解決しようとする課題】
【０００４】
従来の累積点灯時間に応じ出力を調整する技術においては、累積点灯時間に応じた出力調整量（累積点灯時間と照度補正量との関係）を変更することが必要となった際の対応が困難である。また、従来の照度補正用データを選択する技術においては、記憶する照度補正用データの数が増えると、高価な記憶手段が必要になり、照明装置のコスト増に繋がる。
【０００５】
本発明は、例えば、容易かつ低コストで累積点灯時間と照度補正量との関係を調整することを目的とする。
【課題を解決するための手段】
【０００６】
本発明の一の態様に係る照明装置は、
光源の累積点灯時間の長さに応じて前記光源の調光率を変化させることにより前記光源の照度補正を行う照明装置であり、
前記光源を点灯させる点灯回路と、
前記光源の累積点灯時間を計測する累積点灯時間計測部と、
第一の時間と第一の調光率とを指定する信号を入力し、前記光源の累積点灯時間が当該信号により指定された第一の時間になるときに前記光源の調光率が当該信号により指定された第一の調光率に達するように前記光源の累積点灯時間と前記光源の調光率との関係を設定する設定部と、
前記累積点灯時間計測部で計測された累積点灯時間に対し、前記設定部で設定された関係を満たす前記光源の調光率を求め、求めた調光率で前記光源を点灯させるように前記点灯回路を制御する照度補正制御部とを備える。
【発明の効果】
【０００７】
本発明の一の態様では、照明装置の設定部が、第一の時間と第一の調光率とを指定する信号を入力し、光源の累積点灯時間が第一の時間になるときに光源の調光率が第一の調光率に達するように累積点灯時間と調光率との関係を設定し、照明装置の照度補正制御部が、設定部で設定された関係を満たす調光率で光源を点灯させる。このため、本発明の一の態様によれば、容易かつ低コストで累積点灯時間と照度補正量との関係を調整することが可能となる。
【図面の簡単な説明】
【０００８】
【図１】実施の形態１に係る照明装置の構成を示すブロック図。
【図２】（ａ）光源の累積点灯時間と光束との関係、（ｂ）光源の理想的な照度補正曲線、（ｃ）実施の形態１に係る光源の累積点灯時間と目標調光率との関係、（ｄ）実施の形態１に係る光源の累積点灯時間と調光率との関係を示すグラフ。
【図３】実施の形態１に係る照度補正値選択部の回路構成を示す図。
【図４】実施の形態１に係る照度補正値算出部の動作を示すフローチャート。
【図５】実施の形態１に係る光源の累積点灯時間と調光率との関係を示すグラフ。
【図６】実施の形態２に係る照度補正値選択部の回路構成を示す図。
【図７】実施の形態３に係る照度補正値選択部の回路構成を示す図。
【図８】実施の形態４に係る照明装置の構成を示すブロック図。
【発明を実施するための形態】
【０００９】
以下、本発明の実施の形態について、図を用いて説明する。
【００１０】
実施の形態１．
図１は、本実施の形態に係る照明装置１０の構成を示すブロック図である。
【００１１】
図１において、照明装置１０は、光源１２を着脱自在に備える。照明装置１０は、光源１２の累積点灯時間の長さに応じて光源１２の調光率を変化させることにより光源１２の照度補正を行う。そのために、照明装置１０は、点灯回路１１、累積点灯時間計測部１７（タイマー）、設定部１０ａ、照度補正制御部１６を備える。また、図示していないが、照明装置１０は、各部（設定部１０ａ、点灯回路１１、照度補正制御部１６、累積点灯時間計測部１７）を収納する筐体を備える。
【００１２】
点灯回路１１は、商用電源ＡＣから入力される電力を光源１２に供給することで光源１２を点灯させる。
【００１３】
光源１２は、例えば１つ又は複数のＬＥＤパッケージが基板に実装されたＬＥＤモジュールであり、点灯回路１１から電力が供給されることで発光する。なお、光源１２は、ＬＥＤモジュールに限るものではなく、放電灯、白熱灯、有機ＥＬ等であってもよい。
【００１４】
累積点灯時間計測部１７は、光源１２の光源点灯時間Ｓ３を累積した累積点灯時間を計測（カウント）し、計測した累積点灯時間を示す光源累積点灯時間信号Ｓ４を出力する。
【００１５】
設定部１０ａは、照度補正値選択信号Ｓ１を入力する。照度補正値選択信号Ｓ１は、第一の時間Ｔｉｍｅ１と第一の調光率Ｄｉｍ１とを指定する信号である。本実施の形態では、照度補正値選択信号Ｓ１が、第一の時間Ｔｉｍｅ１と第一の調光率Ｄｉｍ１とに加えて、第一の時間Ｔｉｍｅ１より長い第二の時間Ｔｉｍｅ２を指定する信号であるとする。
【００１６】
本実施の形態では、光源１２の調光率が所定の開始調光率（例えば、７０％）から第一の調光率Ｄｉｍ１に達するまでの区間を第一の区間とし、第一の区間の終了時間を第一の時間Ｔｉｍｅ１とする。即ち、光源１２の累積点灯時間が０から第一の時間Ｔｉｍｅ１になるまでの区間を第一の区間とする。また、光源１２の調光率が第一の調光率Ｄｉｍ１から所定の上限調光率（例えば、１００％）に達するまでの区間を第二の区間とし、第二の区間の終了時間を第二の時間Ｔｉｍｅ２とする。即ち、光源１２の累積点灯時間が第一の時間Ｔｉｍｅ１から第二の時間Ｔｉｍｅ２になるまでの区間を第二の区間とする。なお、第一の区間の開始時間、第二の区間の終了時間は、照明装置１０の用途等に応じて適宜変更してもよい。また、第二の区間の後に、第三の区間等、別の区間を１つ又は複数設けてもよい。
【００１７】
設定部１０ａは、光源１２の累積点灯時間が照度補正値選択信号Ｓ１により指定された第一の時間Ｔｉｍｅ１になるときに光源１２の調光率が照度補正値選択信号Ｓ１により指定された第一の調光率Ｄｉｍ１に達するように光源１２の累積点灯時間と光源１２の調光率との関係を設定する。また、本実施の形態では、設定部１０ａは、光源１２の累積点灯時間が照度補正値選択信号Ｓ１により指定された第二の時間Ｔｉｍｅ２になるときに光源１２の調光率が上限調光率に達するように光源１２の累積点灯時間と光源１２の調光率との関係を設定する。さらに、本実施の形態では、設定部１０ａは、光源１２の累積点灯時間が０のとき（光源１２が最初に点灯するとき）に光源１２の調光率が開始調光率になるように光源１２の累積点灯時間と光源１２の調光率との関係を設定する。
【００１８】
設定部１０ａは、基準電圧生成部１３、照度補正値選択部１４、照度補正値算出部１５を有する。
【００１９】
基準電圧生成部１３は、照度補正値選択部１４の基準電圧を生成する。
【００２０】
照度補正値選択部１４は、照度補正曲線を決定するパラメータの値（照度補正値）として、前述した第一の調光率Ｄｉｍ１、第一の時間Ｔｉｍｅ１、第二の時間Ｔｉｍｅ２の値を選択し、選択した値を示す照度補正値選択信号Ｓ１を出力する。照度補正曲線は、光源１２の累積点灯時間と調光率（照度補正量）との関係を示す曲線である。このように、照度補正値選択部１４は、照度補正曲線を間接的に選択する。後述するように、本実施の形態では、基準電圧生成部１３で生成された基準電圧に応じて、照度補正値選択部１４により選択される照度補正曲線が決まる。即ち、第一の調光率Ｄｉｍ１、第一の時間Ｔｉｍｅ１、第二の時間Ｔｉｍｅ２の値が、基準電圧に応じた固定値となる。
【００２１】
照度補正値算出部１５は、照度補正値選択部１４から出力された照度補正値選択信号Ｓ１を入力し、入力した照度補正値選択信号Ｓ１が示す値から、照度補正曲線を算出する。具体的には、照度補正値算出部１５は、光源１２の累積点灯時間と光源１２の調光率との関係を示す照度補正値として、第一の区間と第二の区間とのそれぞれにおける単位時間あたりの光源１２の調光率の変化量を算出する。そして、照度補正値算出部１５は、算出した照度補正曲線（照度補正値）を示す照度補正値算出信号Ｓ２を出力する。
【００２２】
照度補正制御部１６は、照度補正値算出部１５から出力された照度補正値算出信号Ｓ２と、累積点灯時間計測部１７から出力された光源累積点灯時間信号Ｓ４とを入力し、入力した照度補正値算出信号Ｓ２が示す照度補正曲線において、光源累積点灯時間信号Ｓ４が示す光源１２の累積点灯時間に対応する光源１２の調光率を求める。そして、照度補正制御部１６は、求めた調光率を示す照度補正調光信号Ｓ５を出力する。
【００２３】
点灯回路１１は、照度補正制御部１６から出力された照度補正調光信号Ｓ５を入力するＦＢ回路１８（フィードバック回路）を有する。点灯回路１１は、ＦＢ回路１８で入力された照度補正調光信号Ｓ５が示す調光率に対応した電力を光源１２に供給する。これにより、点灯回路１１は、照度補正調光信号Ｓ５が示す調光率で光源１２を調光する。
【００２４】
上記のように、本実施の形態において、照度補正制御部１６は、累積点灯時間計測部１７で計測された累積点灯時間に対し、設定部１０ａで設定された関係を満たす光源１２の調光率を求め、求めた調光率で光源１２を点灯させるように点灯回路１１を制御する。
【００２５】
図２の（ａ）は、光源１２の累積点灯時間と光束との関係を示すグラフである。図２の（ｂ）は、光源１２の理想的な照度補正曲線を示すグラフである。図２の（ｃ）は、本実施の形態に係る光源１２の累積点灯時間と目標調光率（出力）との関係を示すグラフである。図２の（ｄ）は、本実施の形態に係る光源１２の累積点灯時間と調光率（出力）との関係を示すグラフである。
【００２６】
図２の（ａ）に示すように、通常、光源１２の光束維持率は、初期点灯直後の一定期間内は変化率が大きいが、その後は変化率が安定し、変化が緩やかになる。図２の（ｂ）に示すように、時間軸に対して（ａ）の曲線と対称な照度補正曲線が理想的であるが、本実施の形態では、処理や構成が複雑になるのを避けるべく、図２の（ｃ）に示すように、（ｂ）の照度補正曲線に近似した、光源１２の累積点灯時間と調光率との関係を設定している。本実施の形態では、さらに、処理を効率化し、低コストで適切な照度補正を行うべく、（ｃ）の関係をステップ関数に変換し、図２の（ｄ）に示すような光源１２の累積点灯時間と目標調光率との関係を設定している。
【００２７】
（ｄ）の関係を設定するため、本実施の形態では、照度補正値選択部１４が、第一の区間における光源１２の調光率の変化率が第二の区間における光源１２の調光率の変化率よりも大きくなるように第一の調光率Ｄｉｍ１、第一の時間Ｔｉｍｅ１、第二の時間Ｔｉｍｅ２を選択する。これにより、光束維持率の変化が大きい期間を第一の区間、変化が緩やかな期間を第二の区間とし、より適切な照度補正を行うことが可能となる。
【００２８】
図３は、照度補正値選択部１４の回路構成を示す図である。
【００２９】
図３において、照度補正値選択部１４は、基準電圧生成部１３に接続され互いに並列接続された抵抗Ｒ１Ａ，Ｒ１Ｂ，Ｒ１Ｃと、抵抗Ｒ１Ａ，Ｒ１Ｂ，Ｒ１Ｃのそれぞれに直列接続された抵抗Ｒ２Ａ，Ｒ２Ｂ，Ｒ２Ｃを備える。基準電圧生成部１３から印加される基準電圧は、抵抗Ｒ１Ａ，Ｒ２Ａの組み合わせ、抵抗Ｒ１Ｂ，Ｒ２Ｂの組み合わせ、抵抗Ｒ１Ｃ，Ｒ２Ｃの組み合わせにより分圧され、それぞれ第一の調光率Ｄｉｍ１、第一の時間Ｔｉｍｅ１、第二の時間Ｔｉｍｅ２を表す電圧として出力される。これが照度補正値選択信号Ｓ１となる。即ち、照度補正値選択部１４は、前述したパラメータとして、第一の調光率Ｄｉｍ１、第一の時間Ｔｉｍｅ１、第二の時間Ｔｉｍｅ２の値を示す照度補正値選択信号Ｓ１を出力する。
【００３０】
図４は、照度補正値算出部１５の動作（本実施の形態に係る照度補正方法）を示すフローチャートである。
【００３１】
図４において、照度補正値算出部１５は、以下の式１〜式４により第一の区間と第二の区間とにおける単位期間（単位時間）あたりの調光率の変化量を算出する。なお、ｎは第一の区間及び第二の区間において予め与えられた分割数、ＤｉｍＦは開始調光率（初期照度調光率）、ＤｉｍＬは上限調光率（全光点灯出力）とする。ここでは、第一の区間と第二の区間とで共通の分割数を用いているが、別々の分割数を用いてもよい。
ＴｉｍｅＳｔｅｐ１＝Ｔｉｍｅ１／ｎ・・・（式１）
ＤｉｍＳｔｅｐ１＝（Ｄｉｍ１−ＤｉｍＦ）／ｎ・・・（式２）
ＴｉｍｅＳｔｅｐ２＝（Ｔｉｍｅ２−Ｔｉｍｅ１）／ｎ・・・（式３）
ＤｉｍＳｔｅｐ２＝（ＤｉｍＬ−Ｄｉｍ１）／ｎ・・・（式４）
【００３２】
照度補正値算出部１５により算出された、第一の区間における単位期間ＴｉｍｅＳｔｅｐ１あたりの調光率変化量ＤｉｍＳｔｅｐ１と、第二の区間における単位期間ＴｉｍｅＳｔｅｐ２あたりの調光率変化量ＤｉｍＳｔｅｐ２は、照度補正値算出信号Ｓ２により、照度補正制御部１６に伝えられ、照度補正調光信号Ｓ５がＦＢ回路１８に伝えられる。
【００３３】
図５は、光源１２の累積点灯時間と調光率（出力）との関係を示すグラフである。
【００３４】
図５に示すように、照度補正制御部１６は、単位期間（第一の区間ではＴｉｍｅＳｔｅｐ１、第二の区間ではＴｉｍｅＳｔｅｐ２）ごとに、調光率を所定量（第一の区間ではＤｉｍＳｔｅｐ１、第二の区間ではＤｉｍＳｔｅｐ２）ずつ上昇させる。そして、照度補正制御部１６は、その調光率を示す照度補正調光信号Ｓ５をＦＢ回路１８に出力して、点灯回路１１に光源１２を調光させる。これにより、光源１２の累積点灯時間に対して、図２の（ｂ）の理想的な照度補正曲線に近い関係で光源１２の出力を調整し、光源１２の累積点灯時間に伴う光束低下を抑制することができる。
【００３５】
実施の形態２．
本実施の形態について、主に実施の形態１との差異を説明する。
【００３６】
本実施の形態に係る照明装置１０の構成は、図１に示した実施の形態１のものと同様である。
【００３７】
図６は、照度補正値選択部１４の回路構成を示す図である。
【００３８】
図６において、照度補正値選択部１４は、基準電圧生成部１３に接続され互いに並列接続された抵抗Ｒ１Ａ，Ｒ１Ｂ，Ｒ１Ｃと、抵抗Ｒ１Ａ，Ｒ１Ｂ，Ｒ１Ｃのそれぞれに直列接続されたボリューム抵抗ＶＲ２Ａ，ＶＲ２Ｂ，ＶＲ２Ｃを備える。基準電圧生成部１３から印加される基準電圧は、抵抗Ｒ１Ａ及びボリューム抵抗ＶＲ２Ａの組み合わせ、抵抗Ｒ１Ｂ及びボリューム抵抗ＶＲ２Ｂの組み合わせ、抵抗Ｒ１Ｃ及びボリューム抵抗ＶＲ２Ｃの組み合わせにより分圧され、それぞれ第一の調光率Ｄｉｍ１、第一の時間Ｔｉｍｅ１、第二の時間Ｔｉｍｅ２を表す電圧として出力される。これが照度補正値選択信号Ｓ１となる。
【００３９】
なお、抵抗Ｒ１Ａ，Ｒ１Ｂ，Ｒ１Ｃをそれぞれボリューム抵抗としてもよい。このとき、ボリューム抵抗ＶＲ２Ａ，ＶＲ２Ｂ，ＶＲ２Ｃは、そのままとしてもよいし、実施の形態１と同様の抵抗Ｒ２Ａ，Ｒ２Ｂ，Ｒ２Ｃとしてもよい。
【００４０】
本実施の形態によれば、第一の調光率Ｄｉｍ１、第一の区間Ｔｉｍｅ１、第二の区間Ｔｉｍｅ２の設定及び変更が容易になる。したがって、設定部１０ａは、光源１２の種類、照明装置１０の用途や状況等に応じて、光源１２の累積点灯時間と光源１２の調光率との関係を容易に変更することができる。
【００４１】
実施の形態３．
本実施の形態について、主に実施の形態１との差異を説明する。
【００４２】
本実施の形態に係る照明装置１０の構成は、図１に示した実施の形態１のものと同様である。
【００４３】
図７は、照度補正値選択部１４の回路構成を示す図である。
【００４４】
図７において、照度補正値選択部１４は、基準電圧生成部１３に接続され互いに並列接続された抵抗Ｒ１Ａ，Ｒ１Ｂ，Ｒ１Ｃと、抵抗Ｒ１Ａ，Ｒ１Ｂ，Ｒ１Ｃのそれぞれに直列接続された可変抵抗回路ＶＲＡ，ＶＲＢ，ＶＲＣを備える。基準電圧生成部１３から印加される基準電圧は、抵抗Ｒ１Ａ及び可変抵抗回路ＶＲＡの組み合わせ、抵抗Ｒ１Ｂ及び可変抵抗回路ＶＲＢの組み合わせ、抵抗Ｒ１Ｃ及び可変抵抗回路ＶＲＣの組み合わせにより分圧され、それぞれ第一の調光率Ｄｉｍ１、第一の時間Ｔｉｍｅ１、第二の時間Ｔｉｍｅ２を表す電圧として出力される。これが照度補正値選択信号Ｓ１となる。
【００４５】
可変抵抗回路ＶＲＡは、互いに並列接続された抵抗Ｒ２Ａ，Ｒ３Ａ，・・・，ＲｍＡと、抵抗Ｒ２Ａ，Ｒ３Ａ，・・・，ＲｍＡのそれぞれに直列接続されたスイッチＳＷ２Ａ，ＳＷ３Ａ，・・・，ＳＷｍＡからなる。可変抵抗回路ＶＲＢ，ＶＲＣも、可変抵抗回路ＶＲＡと同様の構成である。
【００４６】
本実施の形態によれば、第一の調光率Ｄｉｍ１、第一の区間Ｔｉｍｅ１、第二の区間Ｔｉｍｅ２の設定及び変更が容易になる。したがって、設定部１０ａは、光源１２の種類、照明装置１０の用途や状況等に応じて、光源１２の累積点灯時間と光源１２の調光率との関係を容易に変更することができる。また、スイッチにより照度補正値選択部１４の選択値が変更可能なことから、照明装置１０の外部からも光源１２の累積点灯時間と光源１２の調光率との関係を容易に変更することができる。
【００４７】
実施の形態４．
本実施の形態について、主に実施の形態１との差異を説明する。
【００４８】
図８は、本実施の形態に係る照明装置１０の構成を示すブロック図である。
【００４９】
図８において、照明装置１０の設定部１０ａは、図１に示した基準電圧生成部１３及び照度補正値選択部１４を有する代わりに、信号受信部２０及びＤ／Ａ変換部２１を有する。照明装置１０のその他の構成は、図１に示した実施の形態１のものと同様である。
【００５０】
本実施の形態では、外部操作部１９（例えば、リモコンやパソコン）が第一の調光率Ｄｉｍ１、第一の区間Ｔｉｍｅ１、第二の区間Ｔｉｍｅ２を指定する入力をユーザ等から受け付ける。外部操作部１９は、入力された第一の調光率Ｄｉｍ１、第一の区間Ｔｉｍｅ１、第二の区間Ｔｉｍｅ２を示すデジタル照度補正値選択信号Ｓ１ｄを有線又は無線で発信する。
【００５１】
信号受信部２０は、外部操作部１９からデジタル照度補正値選択信号Ｓ１ｄを受信してＤ／Ａ変換部２１に出力する。
【００５２】
Ｄ／Ａ変換部２１は、デジタル照度補正値選択信号Ｓ１ｄを入力してデジタル／アナログ変換し、第一の調光率Ｄｉｍ１、第一の区間Ｔｉｍｅ１、第二の区間Ｔｉｍｅ２を示すアナログ照度補正値選択信号Ｓ１ａを生成する。そして、Ｄ／Ａ変換部２１は、生成したアナログ照度補正値選択信号Ｓ１ａを出力する。
【００５３】
照度補正値算出部１５は、Ｄ／Ａ変換部２１から出力されたアナログ照度補正値選択信号Ｓ１ａを入力し、入力したアナログ照度補正値選択信号Ｓ１ａが示す値から、照度補正曲線を算出する。そして、照度補正値算出部１５は、算出した照度補正曲線（照度補正値）を示す照度補正値算出信号Ｓ２を出力する。
【００５４】
照度補正制御部１６は、実施の形態１と同様に、照度補正値算出部１５から出力された照度補正値算出信号Ｓ２と、累積点灯時間計測部１７から出力された光源累積点灯時間信号Ｓ４とを入力し、入力した照度補正値算出信号Ｓ２が示す照度補正曲線において、光源累積点灯時間信号Ｓ４が示す光源１２の累積点灯時間に対応する光源１２の調光率を求める。そして、照度補正制御部１６は、求めた調光率で光源１２を点灯させるように点灯回路１１を制御する。
【００５５】
以上、本発明の実施の形態について説明したが、これらの実施の形態のうち、２つ以上を組み合わせて実施しても構わない。あるいは、これらの実施の形態のうち、１つを部分的に実施しても構わない。あるいは、これらの実施の形態のうち、２つ以上を部分的に組み合わせて実施しても構わない。なお、本発明は、これらの実施の形態に限定されるものではなく、必要に応じて種々の変更が可能である。
【符号の説明】
【００５６】
１０  照明装置、１０ａ  設定部、１１  点灯回路、１２  光源、１３  基準電圧生成部、１４  照度補正値選択部、１５  照度補正値算出部、１６  照度補正制御部、１７  累積点灯時間計測部、１８  ＦＢ回路、１９  外部操作部、２０  信号受信部、２１  Ｄ／Ａ変換部、ＡＣ  商用電源、Ｒ１Ａ，Ｒ１Ｂ，Ｒ１Ｃ，Ｒ２Ａ，Ｒ２Ｂ，Ｒ２Ｃ，Ｒ３Ａ，Ｒ３Ｂ，Ｒ３Ｃ，ＲｍＡ，ＲｍＢ，ＲｍＣ  抵抗、Ｓ１  照度補正値選択信号、Ｓ１ａ  アナログ照度補正値選択信号、Ｓ１ｄ  デジタル照度補正値選択信号、Ｓ２  照度補正値算出信号、Ｓ３  光源点灯時間、Ｓ４  光源累積点灯時間信号、Ｓ５  照度補正調光信号、ＳＷ２Ａ，ＳＷ２Ｂ，ＳＷ２Ｃ，ＳＷ３Ａ，ＳＷ３Ｂ，ＳＷ３Ｃ，ＳＷｍＡ，ＳＷｍＢ，ＳＷｍＣ  スイッチ、ＶＲ２Ａ，ＶＲ２Ｂ，ＶＲ２Ｃ  ボリューム抵抗、ＶＲＡ，ＶＲＢ，ＶＲＣ  可変抵抗回路。
【図１】
2013196875.tif 000003
【図２】
2013196875.tif 000004
【図３】
2013196875.tif 000005
【図４】
2013196875.tif 000006
【図５】
2013196875.tif 000007
【図６】
2013196875.tif 000008
【図７】
2013196875.tif 000009
【図８】
2013196875.tif 000010